【手続補正書】
【提出日】平成29年3月3日(2017.3.3)
【手続補正１】
【補正対象書類名】明細書
【補正対象項目名】００２０
【補正方法】変更
【補正の内容】
【００２０】
システム１００は、シングル受信機として構成された場合、１つのＲＦ信号が両ダイバーシティアンテナ１０２によって受け取られるようにフルダイバーシティモードに入ることができる。具体的には、各ダイバーシティアンテナ１０２が同じＲＦ信号を受信し、そのＲＦ信号をシステム１００内の並列なアナログ信号処理経路で別個に処理し、デジタル信号処理モジュール内などで合成する。この場合、アンテナ切り換えアルゴリズムは、一方のダイバーシティアンテナ１０２を一方の信号処理経路に接続し、他方のダイバーシティアンテナ１０２を他方の信号処理経路に接続することができる。
【手続補正２】
【補正対象書類名】明細書
【補正対象項目名】００４１
【補正方法】変更
【補正の内容】
【００４１】
図５は、図１の無線オーディオ受信機システム１００のデジタル信号処理モジュール５００の別の実施形態のブロック図である。ＤＳＰモジュール５００は、例えばシステム１００内に示すＤＳＰモジュール１０８の一方又は両方に対応することができる。ＤＳＰモジュール５００は、メモリ５０６に記憶されているオペコードファイルのコマンドに従って信号を復調するように適合されたＤＳＰ処理エンジン５０４を含むことができる。各オペコードファイルは、特定の変調方式を用いて変調された信号の復調に固有のものとすることができる。デジタルダウンコンバータ５０２は、ＡＤＣ１０６からデジタルパスバンド変調信号を受け取ることができる。デジタルダウンコンバータ５０２は、デジタルパスバンド変調信号から、同相（Ｉ）信号、直交（Ｑ）信号、及びＡＧＣ信号を生成することができる。上述したように、Ｉ信号及びＱ信号は、デジタルパスバンド変調信号を低サンプリングレートに縮小する、ゼロ周波数を中心とするベースバンド複素信号とすることができる。
【手続補正３】
【補正対象書類名】明細書
【補正対象項目名】００４２
【補正方法】変更
【補正の内容】
【００４２】
ＤＳＰ処理エンジン５０４は、デジタルダウンコンバータ５０２によって送信されたＩ信号及びＱ信号の復調を行うことができる。ＤＳＰ処理エンジン５０４によってメモリ５０６から読み出されるオペコードファイルは、ＲＦ信号の復調に固有のコマンドが利用されるようにチャネル選択信号に基づいて選択することができる。メモリ５０６は、不揮発性リードオンリメモリ、ランダムアクセスメモリ、及び／又はその他の好適なタイプのメモリとすることができる。上述したように、チャネル選択信号は、ＲＦ信号の変調タイプ及びダイバーシティ構成を示すユーザ設定に基づくことができる。ＤＳＰ処理エンジン５０４は、アンテナ切り換えアルゴリズムに基づいてアンテナ選択信号を生成することもできる。ＤＳＰ処理エンジン５０４は、デジタルダウンコンバータ５０２によって受け取られる周波数オフセット訂正信号を生成することもできる。オーディオバックエンド５０８及びサンプルレートコンバータ５１０は、上述したように、復調信号をさらに処理し、ＤＡＣ１１０によって受け取ることができるデジタルオーディオ信号を生成することができる。
【手続補正４】
【補正対象書類名】明細書
【補正対象項目名】００５４
【補正方法】変更
【補正の内容】
【００５４】
図７Ｂに示すように、処理７００は濾波増幅ＲＦ信号を生成した後にページ外の参照Ａから続くことができる。図７Ｂでは、ブロック７０２及び７５２が、引き続き第１及び第２の並列なＲＦ信号処理経路によって行われるステップをそれぞれ示す。ステップ７１６において、濾波増幅ＲＦ信号から第１のイメージ除去ＲＦ信号を生成することができる。
同時に、ステップ７６０において、濾波増幅ＲＦ信号から第２のイメージ除去ＲＦ信号を生成することができる。イメージ除去ＲＦ信号は、例えば波長可変イメージ除去フィルタによって生成することができる。ステップ７１８において、第１のＡＧＣ信号に基づいて第１の減衰されたイメージ除去ＲＦ信号を生成することができ、同時にステップ７６２において、第２のＡＧＣ信号に基づいて第２の減衰されたイメージ除去ＲＦ信号を生成することができる。減衰されたイメージ除去ＲＦ信号は、可変減衰器によって生成することができ、ＡＧＣ信号は、例えばＤＳＰモジュールから生成することができる。
【手続補正５】
【補正対象書類名】特許請求の範囲
【補正対象項目名】全文
【補正方法】変更
【補正の内容】
【特許請求の範囲】
【請求項１】
無線オーディオ受信機システムであって、
（Ａ）アナログ変調方式又はデジタル変調方式を用いて変調されたオーディオ信号を各々が含む第１の無線周波数（ＲＦ）信号及び第２のＲＦ信号の一方又は両方を受け取るための第１のダイバーシティアンテナ及び第２のダイバーシティアンテナと、
（Ｂ）第１のＲＦ信号処理経路、第２のＲＦ信号処理経路、及びアンテナルーティングモジュールを含む、前記第１及び第２のダイバーシティアンテナと通信するＲＦアナログ信号処理モジュールと、
を備え、前記第１及び第２のＲＦ信号処理経路、及びアンテナルーティングモジュールは、前記第１及び第２のＲＦ信号の変調タイプと、フルダイバーシティモード又はスイッチトダイバーシティモードへの構成とを示すユーザ設定に基づいて、
前記ユーザ設定が、フルダイバーシティモードへの構成を示す場合、前記アンテナルーティングモジュールが、前記第１のＲＦ信号を前記第１のＲＦ信号処理経路及び前記第２のＲＦ信号処理経路にルーティングし、前記第１のＲＦ信号処理経路が、前記第１のＲＦ信号に基づいて第１のパスバンド変調信号を生成し、前記第２のＲＦ信号処理経路が、前記第１のＲＦ信号に基づいて第２のパスバンド変調信号を生成し、
前記ユーザ設定がスイッチトダイバーシティモードへの構成を示す場合、前記アンテナルーティングモジュールが、アンテナ切り換えアルゴリズムに基づいて、前記第１のダイバーシティアンテナと前記第２のダイバーシティアンテナとを切り換えて、前記第１及び第２のＲＦ信号を前記第１及び第２のＲＦ信号処理経路にそれぞれルーティングし、前記第１のＲＦ信号処理経路が、前記第１のＲＦ信号に基づいて第３のパスバンド変調信号を生成し、前記第２のＲＦ信号処理経路が、前記第２のＲＦ信号に基づいて第４のパスバンド変調信号を生成する、
ように構成され、前記無線オーディオ受信機システムは、
（Ｃ）前記ＲＦアナログ信号処理モジュールと通信し、前記ユーザ設定がフルダイバーシティモードへの構成を示す場合、前記第１のパスバンド変調信号をパスバンドサンプリングして第１のデジタルパスバンド変調信号を生成し、前記ユーザ設定がスイッチトダイバーシティモードへの構成を示す場合、前記第３のパスバンド変調信号をパスバンドサンプリングして前記第１のデジタルパスバンド変調信号を生成する第１のアナログ・デジタルコンバータ（ＡＤＣ）と、前記ＲＦアナログ信号処理モジュールと通信し、前記ユーザ設定がフルダイバーシティモードへの構成を示す場合、前記第２のパスバンド変調信号をパスバンドサンプリングして第２のデジタルパスバンド変調信号を生成し、前記ユーザ設定がスイッチトダイバーシティモードへの構成を示す場合、前記第４のパスバンド変調信号をパスバンドサンプリングして前記第２のデジタルパスバンド変調信号を生成する第２のＡＤＣと、
（Ｄ）前記第１のＡＤＣと通信し、前記ユーザ設定に基づいて前記第１のデジタルパスバンド変調信号を復調して第１のデジタルオーディオ信号を生成する第１のデジタル信号処理（ＤＳＰ）モジュールと、前記第２のＡＤＣと通信し、前記ユーザ設定に基づいて前記第２のデジタルパスバンド変調信号を復調して第２のデジタルオーディオ信号を生成する第２のＤＳＰモジュールと、
（Ｅ）前記第１のＤＳＰモジュールと通信し、前記第１のデジタルオーディオ信号から第１のアナログオーディオ信号を生成する第１のデジタル・アナログコンバータ（ＤＡＣ）と、前記第２のＤＳＰモジュールと通信し、前記第２のデジタルオーディオ信号から第２のアナログオーディオ信号を生成する第２のＤＡＣと、
をさらに備えることを特徴とする無線オーディオ受信機システム。
【請求項２】
前記第１のＲＦ信号処理経路は、前記第１のＲＦ信号から第１の増幅ＲＦ信号を生成するための第１の低ノイズ増幅器と、前記第１の増幅ＲＦ信号から第１の濾波増幅ＲＦ信号を生成するための第１のＲＦバンドパスフィルタとを含み、
前記第２のＲＦ信号処理経路は、前記第２のＲＦ信号から第２の増幅ＲＦ信号を生成するための第２の低ノイズ増幅器と、前記第２の増幅ＲＦ信号から第２の濾波増幅ＲＦ信号を生成するための第２のＲＦバンドパスフィルタとを含み、
前記アンテナルーティングモジュールは、
前記第１の濾波増幅ＲＦ信号を第１の複数の同じＲＦ信号に分割するための第１のＲＦスプリッタと、
前記第２の濾波増幅ＲＦ信号を第２の複数の同じＲＦ信号に分割するための第２のＲＦスプリッタと、
前記ユーザ設定がスイッチトダイバーシティモードへの構成を示す場合、前記アンテナ切り換えアルゴリズムに基づいて、前記第１の複数の同じＲＦ信号のうちの１つの信号と前記第２の複数の同じＲＦ信号のうちの１つの信号とを切り換えるための第１のＲＦスイッチと、
前記ユーザ設定がスイッチトダイバーシティモードへの構成を示す場合、前記アンテナ切り換えアルゴリズムに基づいて、前記第１の複数の同じＲＦ信号のうちの別の信号と前記第２の複数の同じＲＦ信号のうちの別の信号とを切り換えるための第２のＲＦスイッチと、
を含む、
請求項１に記載の無線オーディオ受信機システム。
【請求項３】
前記第１のＲＦ信号処理経路は、
前記第１のＲＦスイッチと通信し、前記第１の複数の同じＲＦ信号のうちの１つの信号又は前記第２の複数の同じＲＦ信号のうちの１つの信号から第１のイメージ除去ＲＦ信号を生成する第１の波長可変イメージ除去フィルタと、
前記第１の波長可変イメージ除去フィルタと通信し、第１の自動利得制御（ＡＧＣ）信号に基づいて、前記第１のイメージ除去ＲＦ信号から第１の減衰されたイメージ除去ＲＦ信号を生成する第１の可変減衰器と、
前記第１の可変減衰器と通信し、前記第１の減衰されたイメージ除去ＲＦ信号を第１の中間周波数（ＩＦ）信号に周波数変換する第１のミキサと、
をさらに含み、
前記第２のＲＦ信号処理経路は、
前記第２のＲＦスイッチと通信し、前記第１の複数の同じＲＦ信号のうちの別の信号又は前記第２の複数の同じＲＦ信号のうちの別の信号から第２のイメージ除去ＲＦ信号を生成する第２の波長可変イメージ除去フィルタと、
前記第２の波長可変イメージ除去フィルタと通信し、第２のＡＧＣ信号に基づいて、前記第２のイメージ除去ＲＦ信号から第２の減衰されたイメージ除去ＲＦ信号を生成する第２の可変減衰器と、
前記第２の可変減衰器と通信し、前記第２の減衰されたイメージ除去ＲＦ信号を第２のＩＦ信号に周波数変換する第２のミキサと、
をさらに含む、
請求項２に記載の無線オーディオ受信機システム。
【請求項４】
前記第１のＲＦ信号処理経路は、
前記第１のミキサと通信し、前記第１のＩＦ信号から第１の濾波ＩＦ信号を生成する第１のＩＦフィルタと、
前記第１のＩＦフィルタと通信し、前記ユーザ設定がフルダイバーシティモードへの構成を示す場合には、前記第１の濾波ＩＦ信号から前記第１のパスバンド変調信号を生成し、或いは前記ユーザ設定がスイッチトダイバーシティモードへの構成を示す場合には、前記第１の濾波ＩＦ信号から前記第３のパスバンド変調信号を生成する第１のＩＦ増幅器と、
をさらに含み、
前記第２のＲＦ信号処理経路は、
前記第２のミキサと通信し、前記第２のＩＦ信号から第２の濾波ＩＦ信号を生成する第２のＩＦフィルタと、
前記第２のＩＦフィルタと通信し、前記ユーザ設定がフルダイバーシティモードへの構成を示す場合には、前記第２の濾波ＩＦ信号から前記第２のパスバンド変調信号を生成し、或いは前記ユーザ設定がスイッチトダイバーシティモードへの構成を示す場合には、前記第２の濾波ＩＦ信号から前記第４のパスバンド変調信号を生成する第２のＩＦ増幅器と、
をさらに含む、
請求項３に記載の無線オーディオ受信機システム。
【請求項５】
前記第１及び第２のＩＦフィルタの各々は、狭帯域弾性表面波（ＳＡＷ）フィルタを含む、
請求項４に記載の無線オーディオ受信機システム。
【請求項６】
前記第１のＤＳＰモジュールは、
前記第１のデジタルパスバンド変調信号から、第１の同相信号、第１の直交信号及び前記第１のＡＧＣ信号を生成する第１のデジタルダウンコンバータと、
前記第１のデジタルダウンコンバータと通信し、各々が前記第１のＲＦ信号の変調タイプに基づいて前記第１の同相信号及び前記第１の直交信号を第１の複数の復調信号のうちの１つの信号に復調するとともに第１のアンテナ選択信号を生成する第１の複数の復調モジュールと、
前記第１の複数の復調モジュールと通信し、前記ユーザ設定に基づいて前記第１の複数の復調信号のうちの１つの信号から前記第１のデジタルオーディオ信号を出力する第１のマルチプレクサユニットと、
を含み、
前記第１のＲＦスイッチは、前記第１のアンテナ選択信号に基づいて、前記第１の複数の同じＲＦ信号のうちの１つの信号と、前記第２の複数の同じＲＦ信号のうちの１つの信号とを切り換え、
前記第２のＤＳＰモジュールは、
前記第２のデジタルパスバンド変調信号から、第２の同相信号、第２の直交信号及び前記第２のＡＧＣ信号を生成する第２のデジタルダウンコンバータと、
前記第２のデジタルダウンコンバータと通信し、前記ユーザ設定がフルダイバーシティモードへの構成を示す場合には前記第１のＲＦ信号の変調タイプに基づいて、及び前記ユーザ設定がスイッチトダイバーシティモードへの構成を示す場合には前記第２のＲＦ信号の変調タイプに基づいて、各々が前記第２の同相信号及び前記第２の直交信号を第２の複数の復調信号のうちの１つの信号に復調するとともに第２のアンテナ選択信号を生成する第２の複数の復調モジュールと、
前記第２の複数の復調モジュールと通信し、前記ユーザ設定に基づいて前記第２の複数の復調信号のうちの１つの信号から前記第２のデジタルオーディオ信号を出力する第２マルチプレクサユニットと、
を含み、
前記第２のＲＦスイッチは、前記第２のアンテナ選択信号に基づいて、前記第１の複数の同じＲＦ信号のうちの別の信号と、前記第２の複数の同じＲＦ信号のうちの別の信号とを切り換える、
請求項３に記載の無線オーディオ受信機システム。
【請求項７】
前記第１のＤＳＰモジュールは、
前記第１のデジタルパスバンド変調信号から、第１の同相信号、第１の直交信号及び前記第１のＡＧＣ信号を生成する第１のデジタルダウンコンバータと、
各々が前記第１の同相信号及び前記第１の直交信号を復調するためのコマンドを含む第１の複数のオペコードファイルを記憶する第１のメモリと、
前記第１のデジタルダウンコンバータ及び前記第１のメモリと通信し、第１のアンテナ選択信号を生成するとともに、前記第１のＲＦ信号の変調タイプに基づき、前記第１のメモリから読み出された前記第１の複数のオペコードファイルのうちの１つに従って、前記第１の同相信号及び前記第１の直交信号を前記第１のデジタルオーディオ信号に復調する第１のＤＳＰ処理エンジンと、
を含み、
前記第１のＲＦスイッチは、前記第１のアンテナ選択信号に基づいて、前記第１の複数の同じＲＦ信号のうちの１つの信号と、前記第２の複数の同じＲＦ信号のうちの１つの信号とを切り換え、
前記第２のＤＳＰモジュールは、
前記第２のデジタルパスバンド変調信号から、第２の同相信号、第２の直交信号及び前記第２のＡＧＣ信号を生成する第２のデジタルダウンコンバータと、
各々が前記第２の同相信号及び前記第２の直交信号を復調するためのコマンドを含む第２の複数のオペコードファイルを記憶する第２のメモリと、
前記第２のデジタルダウンコンバータ及び前記第２のメモリと通信し、第２のアンテナ選択信号を生成するとともに、前記ユーザ設定がフルダイバーシティモードへの構成を示す場合には前記第１のＲＦ信号の変調タイプに基づき、前記ユーザ設定がスイッチトダイバーシティモードへの構成を示す場合には前記第２のＲＦ信号の変調タイプに基づき、前記第２のメモリから読み出された前記第２の複数のオペコードファイルのうちの１つに従って、前記第２の同相信号及び前記第２の直交信号を前記第２のデジタルオーディオ信号に復調する第２のＤＳＰ処理エンジンと、
を含み、
前記第２のＲＦスイッチは、前記第２のアンテナ選択信号に基づいて、前記第１の複数の同じＲＦ信号のうちの別の信号と、前記第２の複数の同じＲＦ信号のうちの別の信号とを切り換える、
請求項３に記載の無線オーディオ受信機システム。
【請求項８】
合成デジタルオーディオ信号、ＤＣ電力及びデータ信号を同時に搬送するように適合されたケーブルに接続するように構成されたインターフェイスモジュールをさらに備え、該インターフェイスモジュールは、
前記第１及び第２のデジタルオーディオ信号の一方又は両方を含む前記合成デジタルオーディオ信号を生成して送信し、
前記ＤＣ電力を受け取って、前記ＲＦアナログ信号処理モジュール、前記第１及び第２のＡＤＣ、前記第１及び第２のＤＳＰモジュール、並びに前記第１及び第２のＤＡＣに供給し、
コマンド又は状態の一方又は両方を含む前記データ信号を送受信する、
ように構成される、
請求項１に記載の無線オーディオ受信機システム。
【請求項９】
前記第１のＤＡＣと通信する第１のオーディオアナログ信号処理モジュールと、前記第２のＤＡＣと通信する第２のオーディオアナログ信号処理モジュールとをさらに備え、
前記第１のオーディオアナログ信号処理モジュールは、前記第１のアナログオーディオ信号から第１の処理済みアナログオーディオ信号を生成し、
前記第２のオーディオアナログ信号処理モジュールは、前記第２のアナログオーディオ信号から第２の処理済みアナログオーディオ信号を生成する、
請求項１に記載の無線オーディオ受信機システム。
【請求項１０】
前記合成デジタルオーディオ信号は、ＡＥＳ３規格に準拠する、
請求項８に記載の無線オーディオ受信機システム。
【請求項１１】
アナログ変調方式又はデジタル変調方式を用いて変調されたオーディオ信号を各々が含む第１の無線周波数（ＲＦ）信号及び第２のＲＦ信号の一方又は両方を無線で受け取る方法であって、
（Ａ）前記第１及び第２のＲＦ信号の前記一方又は両方を受け取るステップと、
（Ｂ）前記第１及び第２のＲＦ信号の変調タイプと、第１のＲＦ信号処理経路及び第２のＲＦ信号処理経路のフルダイバーシティモード又はスイッチトダイバーシティモードへの構成とを示すユーザ設定を受け取るステップと、
（Ｃ）前記ユーザ設定がフルダイバーシティモードへの構成を示す場合、
前記第１のＲＦ信号を前記第１及び第２のＲＦ信号処理経路にルーティングするステップと、
前記第１のＲＦ信号に基づいて、前記第１のＲＦ信号処理経路を用いて第１のパスバンド変調信号を生成するステップと、
前記第１のＲＦ信号に基づいて、前記第２のＲＦ信号処理経路を用いて第２のパスバンド変調信号を生成するステップと、
前記第１のパスバンド変調信号をパスバンドサンプリングして第１のデジタルパスバンド変調信号を生成するステップと、
前記第２のパスバンド変調信号をパスバンドサンプリングして第２のデジタルパスバンド変調信号を生成するステップと、
（Ｄ）前記ユーザ設定がスイッチトダイバーシティモードへの構成を示す場合、
アンテナ切り換えアルゴリズムに基づいて、前記第１及び第２のダイバーシティアンテナを切り換えて前記第１及び第２のＲＦ信号を前記第１及び第２のＲＦ信号処理経路にそれぞれルーティングするステップと、
前記第１のＲＦ信号に基づいて、前記第１のＲＦ信号処理経路を用いて第３のパスバンド変調信号を生成するステップと、
前記第２のＲＦ信号に基づいて、前記第２のＲＦ信号処理経路を用いて第４のパスバンド変調信号を生成するステップと、
前記第３のパスバンド変調信号をパスバンドサンプリングして前記第１のデジタルパスバンド変調信号を生成するステップと、
前記第４のパスバンド変調信号をパスバンドサンプリングして前記第２のデジタルパスバンド変調信号を生成するステップと、
（Ｅ）前記ユーザ設定に基づいて、前記第１のデジタルパスバンド変調信号を復調して第１のデジタルオーディオ信号を生成するステップと、
（Ｆ）前記ユーザ設定に基づいて、前記第２のデジタルパスバンド変調信号を復調して第２のデジタルオーディオ信号を生成するステップと、
（Ｇ）前記第１のデジタルオーディオ信号から第１のアナログオーディオ信号を生成するステップと、
（Ｈ）前記第２のデジタルオーディオ信号から第２のアナログオーディオ信号を生成するステップと、
を含むことを特徴とする方法。
【請求項１２】
前記第１のパスバンド変調信号を生成するステップ、及び前記第３のパスバンド変調信号を生成するステップの各々は、
前記第１のＲＦ信号から第１の増幅ＲＦ信号を生成するステップと、
前記第１の増幅ＲＦ信号から第１の濾波増幅ＲＦ信号を生成するステップと、
前記第１の濾波増幅ＲＦ信号を第１の複数の同じＲＦ信号に分割するステップと、
を含み、
前記第２のパスバンド変調信号を生成するステップ、及び前記第４のパスバンド変調信号を生成するステップの各々は、
前記第２のＲＦ信号から第２の増幅ＲＦ信号を生成するステップと、
前記第２の増幅ＲＦ信号から第２の濾波増幅ＲＦ信号を生成するステップと、
前記第２の濾波増幅ＲＦ信号を第２の複数の同じＲＦ信号に分割するステップと、
を含み、前記方法は、
前記ユーザ設定が、スイッチトダイバーシティモードへの構成を示す場合、
前記アンテナ切り換えアルゴリズムに基づいて、前記第１の複数の同じＲＦ信号のうちの１つの信号と、前記第２の複数の同じＲＦ信号のうちの１つの信号とを切り換えるステップと、
前記アンテナ切り換えアルゴリズムに基づいて、前記第１の複数の同じＲＦ信号のうちの別の信号と、前記第２の複数の同じＲＦ信号のうちの別の信号とを切り換えるステップと、
を含む、
請求項１１に記載の方法。
【請求項１３】
前記第１のパスバンド変調信号を生成するステップ、及び前記第３のパスバンド変調信号を生成するステップの各々は、
前記第１の複数の同じＲＦ信号のうちの１つの信号、又は前記第２の複数の同じＲＦ信号のうちの１つの信号から、第１のイメージ除去ＲＦ信号を生成するステップと、
第１の自動利得制御（ＡＧＣ）信号に基づいて、前記第１のイメージ除去ＲＦ信号から第１の減衰されたイメージ除去ＲＦ信号を生成するステップと、
前記第１の減衰されたイメージ除去ＲＦ信号を第１の中間周波数（ＩＦ）信号に周波数変換するステップと、
を含み、
前記第２のパスバンド変調信号を生成するステップ、及び前記第４のパスバンド変調信号を生成するステップの各々は、
前記第１の複数の同じＲＦ信号のうちの別の信号、又は前記第２の複数の同じＲＦ信号のうちの別の信号から、第２のイメージ除去ＲＦ信号を生成するステップと、
第２のＡＧＣ信号に基づいて、前記第２のイメージ除去ＲＦ信号から第２の減衰されたイメージ除去ＲＦ信号を生成するステップと、
前記第２の減衰されたイメージ除去ＲＦ信号を第２のＩＦ信号に周波数変換するステップと、
をさらに含む、
請求項１２に記載の方法。
【請求項１４】
前記第１のパスバンド変調信号を生成するステップ、及び前記第３のパスバンド変調信号を生成するステップの各々は、前記第１のＩＦ信号から第１の濾波ＩＦ信号を生成するステップをさらに含み、
前記第２のパスバンド変調信号を生成するステップ、及び前記第４のパスバンド変調信号を生成するステップの各々は、前記第２のＩＦ信号から第２の濾波ＩＦ信号を生成するステップをさらに含み、前記方法は、
前記ユーザ設定が、フルダイバーシティモードへの構成を示す場合、
前記第１の濾波ＩＦ信号から前記第１のパスバンド変調信号を生成するステップと、    前記第２の濾波ＩＦ信号から前記第２のパスバンド変調信号を生成するステップと、  前記ユーザ設定が、スイッチトダイバーシティモードへの構成を示す場合、
前記第１の濾波ＩＦ信号から前記第３のパスバンド変調信号を生成するステップと、    前記第２の濾波ＩＦ信号から前記第４のパスバンド変調信号を生成するステップと、  をさらに含む、
請求項１３に記載の方法。
【請求項１５】
前記第１の濾波ＩＦ信号を生成するステップは、第１の狭帯域弾性表面波（ＳＡＷ）フィルタを用いて前記第１のＩＦ信号から前記第１の濾波ＩＦ信号を生成するステップを含み、
前記第２の濾波ＩＦ信号を生成するステップは、第２の狭帯域ＳＡＷフィルタを用いて前記第２のＩＦ信号から前記第２の濾波ＩＦ信号を生成するステップを含む、
請求項１４に記載の方法。
【請求項１６】
前記第１のデジタルパスバンド変調信号を復調するステップは、
前記第１のデジタルパスバンド変調信号から、第１の同相信号、第１の直交信号及び前記第１のＡＧＣ信号を生成するステップと、
前記第１のＲＦ信号の変調タイプに基づいて、前記第１の同相信号及び前記第１の直交信号を第１の復調信号に復調するステップと、
前記ユーザ設定に基づいて、第１のアンテナ選択信号を生成するとともに、前記第１の復調信号から前記第１のデジタルオーディオ信号を出力するステップと、
を含み、
前記第１の複数の同じＲＦ信号のうちの１つの信号と前記第２の複数の同じＲＦ信号のうちの１つの信号とを切り換えるステップは、前記第１のアンテナ選択信号に基づいて、前記第１の複数の同じＲＦ信号のうちの１つの信号と前記第２の複数の同じＲＦ信号のうちの１つの信号とを切り換えるステップを含み、
前記第２のデジタルパスバンド変調信号を復調するステップは、
前記第２のデジタルパスバンド変調信号から、第２の同相信号、第２の直交信号及び前記第２のＡＧＣ信号を生成するステップと、
前記ユーザ設定がフルダイバーシティモードへの構成を示す場合には、前記第１のＲＦ信号の変調タイプに基づいて、及び前記ユーザ設定がスイッチトダイバーシティモードへの構成を示す場合には、前記第２のＲＦ信号の変調タイプに基づいて、前記第２の同相信号及び前記第２の直交信号を第２の復調信号に復調するステップと、
前記ユーザ設定に基づいて、第２のアンテナ選択信号を生成するとともに、前記第２の復調信号から前記第２のデジタルオーディオ信号を出力するステップと、
を含み、
前記第１の複数の同じＲＦ信号のうちの別の信号と前記第２の複数の同じＲＦ信号のうちの別の信号とを切り換えるステップは、前記第２のアンテナ選択信号に基づいて、前記第１の複数の同じＲＦ信号のうちの別の信号と前記第２の複数の同じＲＦ信号のうちの別の信号とを切り換えるステップを含む、
請求項１３に記載の方法。
【請求項１７】
前記第１のデジタルパスバンド変調信号を復調するステップは、
前記第１のデジタルパスバンド変調信号から、第１の同相信号、第１の直交信号及び前記第１のＡＧＣ信号を生成するステップと、
第１のメモリに記憶されている、各々が前記第１の同相信号及び前記第１の直交信号を復調するためのコマンドを含む第１の複数のオペコードファイルのうちの、前記第１のＲＦ信号の変調タイプに基づいて前記第１のメモリから読み出された１つのオペコードファイルに基づいて、第１のアンテナ選択信号を生成するとともに、前記第１の同相信号及び前記第１の直交信号を前記第１のデジタルオーディオ信号に復調するステップと、
を含み、
前記第１の複数の同じＲＦ信号のうちの１つの信号と前記第２の複数の同じＲＦ信号のうちの１つの信号とを切り換えるステップは、前記第１のアンテナ選択信号に基づいて、前記第１の複数の同じＲＦ信号のうちの１つの信号と前記第２の複数の同じＲＦ信号のうちの１つの信号とを切り換えるステップを含み、
前記第２のデジタルパスバンド変調信号を復調するステップは、
前記第２のデジタルパスバンド変調信号から、第２の同相信号、第２の直交信号及び前記第２のＡＧＣ信号を生成するステップと、
第２のメモリに記憶されている、各々が前記第２の同相信号及び前記第２の直交信号を復調するためのコマンドを含む第２の複数のオペコードファイルのうちの、前記ユーザ設定がフルダイバーシティモードへの構成を示す場合には前記第１のＲＦ信号の変調タイプに基づいて、前記ユーザ設定がスイッチトダイバーシティモードへの構成を示す場合には前記第２のＲＦ信号の変調タイプに基づいて前記第２のメモリから読み出された１つのオペコードファイルに基づいて、第２のアンテナ選択信号を生成するとともに、前記第２の同相信号及び前記第２の直交信号を前記第２のデジタルオーディオ信号に復調するステップと、
を含み、
前記第１の複数の同じＲＦ信号のうちの別の信号と前記第２の複数の同じＲＦ信号のうちの別の信号とを切り換えるステップは、前記第２のアンテナ選択信号に基づいて、前記第１の複数の同じＲＦ信号のうちの別の信号と前記第２の複数の同じＲＦ信号のうちの別の信号とを切り換えるステップを含む、
請求項１３に記載の方法。
【請求項１８】
前記第１及び第２のデジタルオーディオ信号の一方又は両方を含む合成デジタルオーディオ信号を生成して送信するステップと、ＤＣ電力を受け取るステップと、前記合成デジタルオーディオ信号、前記ＤＣ電力及び前記データ信号を同時に搬送するように適合されたケーブルに接続するように構成されたインターフェイスジャック上でデータ信号を送受信するステップとをさらに含み、前記データ信号は、コマンド又は状態の一方又は両方を含む、
請求項１１に記載の方法。
【請求項１９】
前記第１のアナログオーディオ信号から第１の処理済みアナログオーディオ信号を生成するステップと、
前記第２のアナログオーディオ信号から第２の処理済みアナログオーディオ信号を生成するステップと、
をさらに含む請求項１１に記載の方法。
【請求項２０】
前記合成デジタルオーディオ信号は、ＡＥＳ３規格に準拠する、
請求項１８に記載の方法。